(57)【要約】【課題】視聴者に外部機器の電源の切断を促して節電することができる映像表示装置を提供する。【解決手段】制御部１０は、切断確認ボタン１８ａの押下に基づいて、電源スタンバイ／オフモードへ移行する。電源スタンバイ／オフモードでは、動作状態検出部１７が、外部入力部１２に入力された映像信号の信号レベルに基づいて、その映像信号を出力している外部機器５，５，…の動作状態を検出する。そして、検出した外部機器の動作状態、及び映像表示装置の電源を切断するか否かを受け付ける映像（７０）を表示部１６に表示して報知する。これにより、視聴者は外部機器の動作状態を把握して、動作していない外部機器の電源を切断する。したがって、外部機器の消費電力を削減して節電効果を図ることができる。【選択図】図１
2007163664.tif 000002
【特許請求の範囲】
【請求項１】
１又は複数の外部機器から映像信号を入力するための信号入力部を備え、該信号入力部に入力された映像信号に係る映像の表示が可能な映像表示装置において、
前記信号入力部に入力された映像信号の信号レベルに基づいて、該映像信号を出力している外部機器の動作状態を検出する検出手段と、
検出した外部機器の動作状態を報知する報知手段と
を備えることを特徴とする映像表示装置。
【請求項２】
電源の切断を指示する旨の指示信号を受け付ける受付手段をさらに備え、
前記報知手段は、
前記受付手段が指示信号を受け付けた場合に、外部機器の動作状態を報知するようにしてあること
を特徴とする請求項１に記載の映像表示装置。
【請求項３】
前記報知手段は、
接続された外部機器を識別する文字列を表示し、該文字列に対して外部機器の動作状態を識別する処理を行なうようにしてあること
を特徴とする請求項１又は請求項２に記載の映像表示装置。
【請求項４】
前記報知手段は、
接続された外部機器を識別する文字列を表示し、該外部機器が動作していない場合に前記文字列を網掛け処理するようにしてあること
を特徴とする請求項１又は請求項２に記載の映像表示装置。
【請求項５】
接続された外部機器が動作しているか否かを判定する判定手段と、
すべての外部機器が動作していないと判定した場合に前記電源を切断する切断手段と
を備えることを特徴とする請求項１乃至請求項４のいずれか１つに記載の映像表示装置。
【請求項６】
前記判定手段が外部機器のうちの１つが動作していると判定した場合に前記電源を切断するか否かの確認を受け付ける手段を備え、
前記切断手段は、
前記電源を切断するとの確認を受け付けた場合に前記電源を切断するようにしてあること
を備えることを特徴とする請求項５に記載の映像表示装置。
【発明の詳細な説明】
【技術分野】
【０００１】
本発明は、ビデオプレイヤー、ＤＶＤプレイヤー、ゲーム機器、パーソナルコンピュータ（ＰＣ）などの外部機器が接続されている映像表示装置において、該映像表示装置の電源を切断する場合に、視聴者に外部機器の電源の切断を促して電気使用量を節約（節電）することができる映像表示装置に関する。
【背景技術】
【０００２】
近年、ＬＣＤ、ＰＤＰ、有機／無機ＥＬなど様々な薄型の映像表示装置が実用化されている。これらの映像表示装置は、従来のＣＲＴと比較し、単に小型、軽量化のみならず、低消費電力化に有効である。映像表示装置は、テレビやビデオなどのほか、モニター、ワープロ、ＰＣなどのＯＡ機器に広く用いられている。
【０００３】
特許文献１には、外部機器接続用の電源コンセントへの給電を制御するスイッチと、リモートコントロール送信機に設けられたスイッチの入断（オン・オフ）を指令する制御キーとを備えることにより、制御キーの操作によって外部接続機器・電源の入断制御が行なえることができる電気機器が開示されている。
【０００４】
また、特許文献２には、磁気テープが終端に達し、自動的に再生が停止したとき、ＴＶなどの外部機器の電源を自動的に切断する機能を有する磁気記録再生装置が開示されている。
【特許文献１】実開平４−２０７８７号公報
【特許文献２】特開平４−３７０５５３号公報
【発明の開示】
【発明が解決しようとする課題】
【０００５】
ところで、近年では、ビデオプレイヤー、ＤＶＤプレイヤー、ゲーム機器、ＰＣなど様々な外部機器を映像表示装置に接続して使用する形態が多く見られる。このような使用形態において、一の外部機器で番組の録画が行なわれている場合、映像表示装置の電源の切断に連動して外部機器の電源を自動的に切断するようにすれば、録画が強制的に中止されることになる。このように、映像表示装置に接続された外部機器の動作状態によっては、外部機器の電源を切断すべきでない場合が存在し、外部機器の動作状態に基づいて、外部機器の電源の切断をすべきか否かを決定すべきである。
【０００６】
従来の映像表示装置において外部機器の動作状態を確認するには、映像表示装置に設けられた入力切換ボタンを入力されているライン数分押下して各ラインの映像を表示させ、視聴者が各映像を１つずつ確認する必要があった。したがって、視聴者が映像表示装置の電源を切断する際に多くの手順が必要であった。
【０００７】
本発明は斯かる事情に鑑みてなされたものであり、信号入力部に接続された外部機器の動作状態を検出し、検出した動作状態を報知する構成とすることにより、視聴者に外部機器の電源の切断を促して節電することができる映像表示装置の提供を目的とする。
【０００８】
また本発明は、映像表示装置の電源を切断する場合、電源の切断を指示する旨の指示信号を受け付けた場合に、外部機器の動作状態を報知する構成とすることにより、外部機器が動作していないときにはその外部機器の電源を切断して電気使用量を削減することが好ましいことから、映像表示装置の電源を切断するときに外部機器の動作状態が報知されるので、視聴者は映像表示装置の電源を切断した場合に外部機器に問題が生じるか否かを確認したうえで、外部機器の電源を実際に切断する映像表示装置の提供を目的とする。
【０００９】
さらに本発明は、接続された外部機器を識別する文字列を表示し、文字列に対応する外部機器の動作状態を識別できるように、その文字列に対して処理を行なう構成とすることにより、視聴者は、文字列に対して行なわれた処理によって、対応する外部機器の動作状態を把握することができる映像表示装置の提供を目的とする。
【００１０】
さらに本発明は、接続された外部機器を識別する文字列を表示し、その外部機器が動作していない場合に表示した文字列を網掛け処理する構成とすることにより、視聴者は、文字列の表示状態を見ることによって、文字列に対応する外部機器の動作状態を簡単かつ確実に把握することができる映像表示装置の提供を目的とする。
【００１１】
さらにまた本発明は、接続された外部機器が動作しているか否かを判定し、すべての外部機器が動作していないと判定した場合に、映像表示装置の電源を切断する構成とすることにより、すべての外部機器が動作していないと判定した場合、すなわち、映像表示装置に映像信号が入力されていない場合は、映像表示装置の電源を切断したとしても問題が生じることがないので、映像表示装置の電源を自動的に切断する映像表示装置の提供を目的とする。
【００１２】
さらにまた本発明は、外部機器のうちの１つが動作していると判定した場合は、電源を切断するか否かの確認を受け付け、電源を切断するとの確認を受け付けた場合に映像表示装置の電源を切断する構成とすることにより、少なくとも１つの外部機器が動作していると判定した場合、すなわち、映像表示装置に映像信号が入力されている場合は、映像表示装置の電源を切断した場合に問題が生じることがあるので、視聴者が映像表示装置の電源を切断した場合に外部機器に問題が生じるか否かを確認したうえで、外部機器の電源を実際に切断することができる映像表示装置の提供を目的とする。
【課題を解決するための手段】
【００１３】
本発明に係る映像表示装置は、１又は複数の外部機器から映像信号を入力するための信号入力部を備え、該信号入力部に入力された映像信号に係る映像の表示が可能な映像表示装置において、前記信号入力部に入力された映像信号の信号レベルに基づいて、該映像信号を出力している外部機器の動作状態を検出する検出手段と、検出した外部機器の動作状態を報知する報知手段とを備えることを特徴とする。
【００１４】
本発明にあっては、信号入力部に入力された映像信号の信号レベルに基づいて、その映像信号を出力している外部機器の動作状態を検出する。そして、検出した外部機器の動作状態を報知する。これにより、視聴者は外部機器の動作状態を把握して、動作していない外部機器の電源を切断する。したがって、外部機器の消費電力を削減して節電効果を図ることができる。
【００１５】
本発明に係る映像表示装置は、電源の切断を指示する旨の指示信号を受け付ける受付手段をさらに備え、前記報知手段は、前記受付手段が指示信号を受け付けた場合に、外部機器の動作状態を報知するようにしてあることを特徴とする。
【００１６】
本発明にあっては、映像表示装置の電源を切断する場合、外部機器が動作していないときにはその外部機器の電源を切断して電気使用量を削減することが好ましいため、電源の切断を指示する旨の指示信号を受け付けた場合に、外部機器の動作状態を報知する。これにより、視聴者は外部機器の動作状態を把握して、動作していない外部機器の電源を切断する。
【００１７】
本発明に係る映像表示装置は、前記報知手段が、接続された外部機器を識別する文字列を表示し、該文字列に対して外部機器の動作状態を識別する処理を行なうようにしてあることを特徴とする。
【００１８】
本発明にあっては、接続された外部機器を識別する文字列を表示する。そして、文字列に対応する外部機器の動作状態を識別できるように、その文字列に対して処理を行なう。例えば、外部機器が動作していない場合には、その外部機器に対応する文字列を網掛け処理する。これにより、視聴者は、文字列に対して行なわれた処理によって、対応する外部機器の動作状態を把握することができる。
【００１９】
本発明に係る映像表示装置は、前記報知手段が、接続された外部機器を識別する文字列を表示し、該外部機器が動作していない場合に前記文字列を網掛け処理するようにしてあることを特徴とする。
【００２０】
本発明にあっては、接続された外部機器を識別する文字列を表示し、その外部機器が動作していない場合に表示した文字列を網掛け処理する。これにより、視聴者は、文字列の表示状態を見ることによって、文字列に対応する外部機器の動作状態を把握することができる。
【００２１】
本発明に係る映像表示装置は、接続された外部機器が動作しているか否かを判定する判定手段と、すべての外部機器が動作していないと判定した場合に前記電源を切断する切断手段とを備えることを特徴とする。
【００２２】
本発明にあっては、接続された外部機器が動作しているか否かを判定し、すべての外部機器が動作していないと判定した場合は、映像表示装置に映像信号が入力されていないことから、映像表示装置の電源を切断したとしても問題が生じることがないので、映像表示装置の電源を切断する。
【００２３】
本発明に係る映像表示装置は、前記判定手段が外部機器のうちの１つが動作していると判定した場合に前記電源を切断するか否かの確認を受け付ける手段を備え、前記切断手段は、前記電源を切断するとの確認を受け付けた場合に前記電源を切断するようにしてあることを備えることを特徴とする。
【００２４】
本発明にあっては、外部機器のうちの１つが動作していると判定した場合は、映像表示装置に映像信号が入力されていることから、映像表示装置の電源を切断したとした場合に問題が生じることがあるので、電源を切断するか否かの確認を受け付け、電源を切断するとの確認を受け付けた場合に映像表示装置の電源を切断する。
【発明の効果】
【００２５】
本発明によれば、信号入力部に入力された映像信号の信号レベルに基づいて、その映像信号を出力している外部機器の動作状態を検出し、検出した外部機器の動作状態を報知する構成としたので、視聴者は外部機器の動作状態を把握して、動作していない外部機器の電源を切断するように促すことができ、外部機器の消費電力を削減することができる。
【００２６】
本発明によれば、映像表示装置の電源を切断する場合、外部機器が動作していないときにはその外部機器の電源を切断して電気使用量を削減することが好ましいため、電源の切断を指示する旨の指示信号受け付けた場合に、外部機器の動作状態を報知する構成としたので、視聴者は、映像表示装置の電源を切断するときに、外部機器の動作状態が報知されるので、映像表示装置の電源を切断した場合に外部機器に問題が生じるか否かを確認したうえで、外部機器の電源を実際に切断することができる。
【００２７】
本発明によれば、接続された外部機器を識別する文字列を表示し、文字列に対応する外部機器の動作状態を識別できるように、その文字列に対して処理を行なう構成としたので、視聴者は、文字列に対して行なわれた処理によって、対応する外部機器の動作状態を把握することができる。
【００２８】
本発明によれば、接続された外部機器を識別する文字列を表示し、その外部機器が動作していない場合に表示した文字列を網掛け処理する構成としたので、視聴者は、文字列の表示状態を見ることによって、文字列に対応する外部機器の動作状態を簡単かつ確実に把握することができる。
【００２９】
本発明によれば、接続された外部機器が動作しているか否かを判定し、すべての外部機器が動作していないと判定した場合に、映像表示装置の電源を切断する構成としたので、すべての外部機器が動作していないと判定した場合、すなわち、映像表示装置に映像信号が入力されていない場合は、映像表示装置の電源を切断したとしても問題が生じることがないので、映像表示装置の電源を切断することができる。
【００３０】
本発明によれば、外部機器のうちの１つが動作していると判定した場合は、映像表示装置に映像信号が入力されていることから、映像表示装置の電源を切断した場合に問題が生じることがあるので、電源を切断するか否かの確認を受け付け、電源を切断するとの確認を受け付けた場合に映像表示装置の電源を切断する構成としたので、視聴者は映像表示装置の電源を切断した場合に外部機器に問題が生じるか否かを確認したうえで、外部機器の電源を実際に切断することができる等、優れた効果を奏する。
【発明を実施するための最良の形態】
【００３１】
以下、本発明をその実施の形態を示す図面に基づいて詳述する。
【００３２】
（実施の形態１）
図１は本発明の実施の形態１に係る映像表示装置の構成を示すブロック図である。
本発明の実施の形態１に係る映像表示装置１は、制御部１０、チューナ部１１、外部入力部１２、セレクタ部１３、映像信号デコーダ１４、映像信号処理部１５、表示部１６、動作状態検出部１７、操作部１８及びメモリ１９を備えている。制御部１０は、マイクロコントローラ（マイコン）から構成され、上述した各部を直接的又は間接的に制御し、内蔵するＲＯＭに格納された制御プログラムに従って種々の機能を果たす。
【００３３】
チューナ部１１は、例えば放送中継基地の方向に向けて配置された図示しないアンテナに接続され、放送中継基地から送信された映像信号のうちの特定周波数帯域の映像信号を選択して復調する。現在、広く利用されている地上波の周波数帯域は、ＶＨＦ帯の低域（９０Ｍ〜１０８ＭＨｚ）、ＶＨＦ帯の高域（１７０Ｍ〜２２２ＭＨｚ）、ＵＨＦ帯（４７０Ｍ〜７７０ＭＨｚ）であり、この周波数帯域から、視聴者によって指定された１チャンネルの映像信号を選択してセレクタ部１３へ出力する。もちろん、衛星放送、ケーブルテレビ放送などに対応したチューナであってもよい。
【００３４】
外部入力部１２は、例えばビデオプレイヤー、ＤＶＤプレイヤー、ゲーム機器、ＰＣなどの外部機器５，５，…から出力される映像信号を入力する信号入力部であって、外部機器５，５，…から入力された映像信号をセレクタ部１３へ出力する。外部入力部１２には、アナログＡＶケーブル用のＩＮＰＵＴ１，ＩＮＰＵＴ２，ＩＮＰＵＴ３などのアナログ・インタフェースと、ＴＭＤＳ(Transition-Minimized Differential Signaling)をベースとしたＤＶＩ（Digital Visual Interface），ＨＤＭＩ（High-Definition Multimedia Interface）などのデジタル・インタフェースとが用意されている。
【００３５】
セレクタ部１３は、上述したチューナ部１１及び外部入力部１２に接続されており、チューナ部１１又は外部入力部１２から入力された映像信号のうちの一つを選択する機能を有し、選択した映像信号を映像信号デコーダ１４へ出力する。
【００３６】
映像信号デコーダ１４は、セレクタ部１３によって選択された映像信号を復調して映像信号処理部１５へ出力する。映像信号処理部１５で各種映像の合成処理、エフェクト処理などを行ない、処理された映像信号を液晶パネルなどの表示部１６へ出力して映像を表示する。
【００３７】
動作状態検出部１７は、外部入力部１２に入力されている外部機器５，５，…の動作状態を検出するものであって、外部入力部１２の各入力ラインの映像信号レベルを計測することによって動作状態を判定する。例えば、ある基準レベル（閾レベル）を予め規定しておき、各入力ラインの映像信号の信号レベルが基準レベル以上である場合は外部機器５から映像信号が出力されていると判断し、基準レベル未満である場合は外部機器５から映像信号が出力されていないと判断する。動作状態検出部１７にて検出された動作状態を信号に変換して制御部１０へ出力し、制御部１０は、その信号に基づいて、映像信号処理部１５における処理を制御する。
【００３８】
操作部１８は、入力切替ボタン、チャンネルボタン、音量ボタンなど、映像表示装置１の基本的な動作を操作するための各種の操作ボタンのほかに、本発明に特徴的な切断確認ボタン１８ａが設けられている。切断確認ボタン１８ａが押下されることによって映像表示装置１は電源オフ／スタンバイモードへ移行する。電源オフ／スタンバイモードでは、外部機器５，５，…の動作状況を表示部１６に表示することによって、視聴者が外部機器５，５，…の動作状況を確認したうえで、外部電源（商用交流電源など）からの電力供給を切断する。
【００３９】
メモリ１９は、ＯＳＤ映像、文字列映像などの各種のフレーム映像を記憶している。記憶されたフレーム映像は、制御部１０によって適宜読み取られ、映像信号処理部１５にて、復号された映像信号とともに処理される。
【００４０】
図２は本発明の実施の形態１に係る映像表示装置が行なう処理手順を示すフローチャートである。なお、処理手順は一例であり、これに限るものではない。また、このような処理手順は、制御部１０に内蔵したＲＯＭへ予め制御プログラムを組み込んでおくことにより行なうことができる。
【００４１】
制御部１０は、切断確認ボタン１８ａの押下に基づいて、電源オフ／スタンバイモードへの移行を判断する（ステップＳ１）。切断確認ボタン１８ａが視聴者によって押下され、電源オフ／スタンバイモードへの移行を受け付けた場合（Ｓ１：ＹＥＳ）、外部入力部１２の各入力ラインに映像信号が入力されているか否か、すなわち外部機器５，５，…が接続されているか否かを判定する（ステップＳ２）。
【００４２】
外部機器５，５，…が接続されていると判定された場合（Ｓ２：ＹＥＳ）、図３に示すように、外部機器５，５，…の動作状態、及び映像表示装置１の電源を切断するか否かを受け付ける映像７０を表示部１６に表示する（ステップＳ３）。制御部１０は、動作状態検出部１７からの信号によって外部機器５，５，…の動作状態を判断できるので、この判断と、映像信号処理部１５へ順次送られてくる映像信号とから、映像７０となるように映像信号の処理を行なう。なお、映像７０を構成するフレーム映像については、メモリ１９に予め記憶されており、制御部１０が適宜メモリ１９にアクセスし、フレーム映像を読み取って映像信号処理部１５へ出力することにより映像７０を生成する。
【００４３】
映像７０の左側７０ａには、各入力ラインを識別する文字列ＩＮＰＵＴ１，ＩＮＰＵＴ２，ＩＮＰＵＴ３，ＨＤＭＩ，ＤＶＩが配置される。そして、映像信号が入力されていない入力ラインには文字列ＩＮＰＵＴ２，ＩＮＰＵＴ３，ＨＤＭＩに網掛け７５を行ない、映像信号が入力されている入力ラインには文字列ＩＮＰＵＴ１，ＤＶＩに網掛けを行なわない。
【００４４】
したがって、視聴者は、映像７０を見て、文字列ＩＮＰＵＴ１，ＩＮＰＵＴ２，ＩＮＰＵＴ３，ＨＤＭＩ，ＤＶＩに網掛けがあるか否かによって、各文字列に対応する外部機器５，５，…の動作状態を把握することができる。また、映像７０の右側７０ｂに、「右側に示した入力ラインに映像信号が入力されていますが、映像表示装置の電源を切断しても良いですか？」の文字列を配置し、視聴者に映像表示装置１の電源の切断を行なっても良いか否かの確認を行なわせる。視聴者は、外部機器５，５，…の動作状態を確認したうえで、映像表示装置１の電源の切断を行なう場合には「ＹＥＳ」ボタン７１を、映像表示装置１の電源の切断を行なわない場合には「ＮＯ」ボタン７２を押下する。
【００４５】
そして、制御部１０は、映像表示装置１の電源を切断する旨の受け付けがなされたか否かを判定し（ステップＳ４）、電源を切断する旨の受け付けがなされた場合（Ｓ４：ＹＥＳ）、制御部１０は電源を切断させる（ステップＳ５）。一方、電源を切断する旨の受け付けがなされない場合、すなわち電源を切断しない旨の受け付けがなされた場合（Ｓ４：ＮＯ）、制御部１０は処理をＳ１へ戻す。
【００４６】
一方、外部機器５，５，…が接続されていないと判定された場合（Ｓ２：ＮＯ）、映像表示装置１の電源を切断したとしても外部機器５，５，…の動作に影響を及ぼすことはないので、処理をＳ５に移行させて電源を切断させる。
【００４７】
上述した如く、映像表示装置１の電源を切断させる場合に、外部入力部１２に接続された外部機器５，５，…の動作状態を検出し、検出した動作状態を表示部１６に表示して視聴者に報知することができる。視聴者は、表示部１６に表示された映像７０を見て外部機器５，５，…の動作状態を把握し、不必要な外部機器５の電源投入を断つことができるので、外部機器５，５，…の節電を図ることができる。
【００４８】
図４は節電の状況を説明するための図であり、同図（ａ）は電源オフ／スタンバイモードへ移行した際の表示部１６の画面を示し、同図（ｂ）は節電を促されて視聴者が外部機器５の電源を切断した際の表示部１６の画面を示す。
電源オフ／スタンバイモードへ移行した際は、図４（ａ）に示すような映像７０が表示され、ＩＮＰＵＴ２，ＩＮＰＵＴ３，ＨＤＭＩの映像信号は入力されていないが、ＩＮＰＵＴ１，ＤＶＩの映像信号が外部入力部１２に入力されている。視聴者は、この映像７０を見ることによって、ＩＮＰＵＴ１，ＤＶＩに対応する外部機器の電源がオン状態であることを把握し、外部機器の電源を切断しても良いか否かを判断し、問題が発生しない場合に外部機器の電源を切断する。ＩＮＰＵＴ１に対応する外部機器の電源が切断された場合、図４（ｂ）に示すような映像７０´が表示され、図４（ａ）と比較して、ＩＮＰＵＴ１の文字列に網掛け７５´がかけられる。これにより、視聴者は、ＩＮＰＵＴ１に対応する外部機器の電源が切断されていることを表示部１６に表示された映像によって確認することができる。
【００４９】
（実施の形態２）
図５は本発明の実施の形態２に係る映像表示装置が行なう処理手順を示すフローチャートである。なお、Ｓ１１〜Ｓ１５は、図２のＳ１〜Ｓ５と同様であり、その説明を省略する。
【００５０】
制御部１０は、外部機器が接続されていないと判定された場合（Ｓ１２：ＮＯ）、映像表示装置１の電源を切断することによって外部機器の動作に影響を及ぼすことはないが、視聴者に電源の切断を行なっても良いかを確認させるべく、図６に示すように、映像表示装置１の電源を切断するか否かを受け付ける映像９０を表示部１６に表示する（ステップＳ１６）。映像９０には、「映像表示装置の電源を切断しても良いですか？」の文字列を配置し、視聴者に映像表示装置１の電源の切断を行なっても良いか否かの確認を行なわせる。視聴者は、映像表示装置１の電源の切断を行なう場合には「ＹＥＳ」ボタン９１を、映像表示装置１の電源の切断を行なわない場合には「ＮＯ」ボタン９２を押下する。なお、映像９０には、図３と異なり、外部機器の動作状態を表示する必要はないが、図３と同様に外部機器の動作状態を表示するようにしても良い。
【００５１】
そして、制御部１０は処理をＳ１４へ移行させ、映像表示装置１の電源を切断する旨の受け付けがなされたか否かを判定し、電源を切断する旨の受け付けがなされた場合（Ｓ１４：ＹＥＳ）、制御部１０は電源を切断させる（ステップＳ１５）。一方、電源を切断する旨の受け付けがなされない場合、すなわち電源を切断しない旨の受け付けがなされた場合（Ｓ１４：ＮＯ）、制御部１０は処理をＳ１１へ戻す。
【００５２】
上述した如く、実施の形態２においては、たとえ、外部機器が接続されていないと判定された場合、つまり、すべての外部機器が動作していないと判定した場合であっても、視聴者に映像表示装置１の電源の切断を行なっても良いか否かの確認を行なわせることから、外部機器の節電に対する視聴者の意識を高めることが可能である。
【００５３】
なお、各実施の形態では、外部機器の動作状態として、各入力ラインを識別する文字列を表示し、文字列に網掛けがなされているか否かによって映像信号が入力されているか否かを視聴者に報知する形態としたが、図７に示すように、各入力ラインに入力されている映像信号に係る映像８１，８２，８３，８４，８５を表示部１６に並べて表示するようにして、外部機器の動作状態を視聴者に報知するようにしても良い。
【００５４】
このような場合は、映像表示装置１に接続されている複数の外部機器の映像信号に係る映像８１，８２，８３，８４，８５を表示する必要があるので、セレクタ部１３は、所定期間おきに、外部入力部１２の各入力ラインに入力されている映像信号を順次選択して、映像信号デコーダ１４へ出力する。制御部１０は、動作状態検出部１７からの信号によって外部機器の動作状態を判断できるので、この判断と、映像信号処理部１５へ順次送られてくる各入力ラインの映像信号とから、図７に示したような映像となるように映像信号の処理を行ない、複数の映像８１，８２，８３，８４，８５を表示部１６に並べて表示する。
【００５５】
したがって、視聴者は、各入力ラインに入力されている映像信号に係る映像８１，８２，８３，８４，８５を確認したうえで、外部機器５の電源を適宜切断し、「ＹＥＳ」ボタン７１を押下することで、映像表示装置１の電源を切断することができる。また、外部機器５に問題が生じる場合には、「ＮＯ」ボタン７２を押下することで、映像表示装置１の電源の切断を防止することができる。
【００５６】
なお、各実施の形態では、文字列に網掛け７５（７５´）を行なうことによって、映像信号の入力の有無、すなわち、対応する外部機器の動作状態を識別するようにしたが、文字列に対する処理について限定されるものではなく、例えば、外部機器の動作状態に応じて文字列の色及び太さなど文字列の属性を変更することによって、視聴者に各外部機器の動作状態を識別させることが可能である。
【図面の簡単な説明】
【００５７】
【図１】本発明の実施の形態１に係る映像表示装置の構成を示すブロック図である。
【図２】本発明の実施の形態１に係る映像表示装置が行なう処理手順を示すフローチャートである。
【図３】外部機器の動作状態、及び映像表示装置の電源を切断するか否かを受け付ける映像の一例を示す図である。
【図４】節電の状況を説明するための図である。
【図５】本発明の実施の形態２に係る映像表示装置が行なう処理手順を示すフローチャートである。
【図６】映像表示装置の電源を切断するか否かを受け付ける映像の一例を示す図である。
【図７】外部機器の動作状態、及び映像表示装置の電源を切断するか否かを受け付ける映像の他の一例を示す図である。
【符号の説明】
【００５８】
１  映像表示装置
１０  制御部
１１  チューナ部
１２  外部入力部
１３  セレクタ部
１５  映像信号処理部
１６  表示部
１７  動作状態検出部
１８  操作部
１８ａ  切断確認ボタン
１９  メモリ
５，５，…  外部機器
【図１】
2007163664.tif 000003
【図２】
2007163664.tif 000004
【図３】
2007163664.tif 000005
【図４】
2007163664.tif 000006
【図５】
2007163664.tif 000007
【図６】
2007163664.tif 000008
【図７】
2007163664.tif 000009